(57)【要約】【課題】  視力を効果的に回復させる視力トレーニング器を提供する。【解決手段】  視力トレーニング器本体１にランドルト環（視標）４を表示した透明なレンズプレート２を備え、仕切り１８でレンズプレート２を左右個別に見れるように分け、透明なレンズプレート２に表示されたランドルト環（視標）４にて、眼球の開散運動と、輻輳運動を交互に反復運動訓練をする。【選択図】図２
2011224310.tif 000002
【特許請求の範囲】
【請求項１】
視力トレーニング器本体にランドルト環（視標）を表示した透明なレンズプレートを備え、仕切りでレンズプレートを左右個別に見れるように分け、透明なレンズプレートに表示されたランドルト環（視標）にて、眼球の開散運動と、輻輳運動を交互に反復運動訓練ができる事を特徴とする視力トレーニング器。
【請求項２】
眼位測定用の眼位測定目盛りと眼位測定バーで構成された眼位測定プレートを備えた事を特徴とする［請求項１］記載の視力トレーニング器。
【発明の詳細な説明】
【技術分野】
【０００１】  本考案は視力トレーニング器に関する。
【背景技術】
【０００２】  従来から様々な視力トレーニング器が考案されている。この例として特許文献１や特許文献２に開示されているものがある。
【特許文献１】  特開２００７−０１４４１７号公報
【特許文献２】  特開２００６−０５５２７１号公報
【発明の開示】
【発明が解決しようとする課題】
【０００３】  視力を効果的に回復させる視力トレーニング器を提供する。
【課題を解決する為の手段】
【０００４】  視力トレーニング器本体１にランドルト環（視標）４を表示した透明なレンズプレート２を備え、仕切り１８でレンズプレート２を左右個別に見れるように分け、透明なレンズプレート２に表示されたランドルト環（視標）４にて、眼球の開散運動と、輻輳運動を交互に反復運動訓練をする。
【発明の効果】
【０００５】  人間が物を見る際には眼位が移動する。近くを見る際には眼が内向きになり、遠くを見る際には眼が外向きへとなる。この眼位の位置は通常は正位という正面を向いているが、人によって少なからず内向き傾向になる眼と外向き傾向になる眼の二つの癖がある。
【０００６】  これら二つの癖は輻輳（ふくそう）と開散（かいさん）という運動機能が関係しており、輻輳は遠くから近くを見る（寄り眼）運動、開散は近くから遠くを見る（反り眼）運動である。
【０００７】  この眼位の癖は視力に大きく関係してくる。［図９］〜［図１０］のように物体から反射された光は角膜１２から進入し、水晶体１３で屈折反転し、網膜１５に逆さに投射され、視神経にて大脳に伝達され、大脳で映像を反転修正し、その映像を元に毛様体筋１４にて、１〜２秒後に水晶体１３は自動的に網膜１５へピントが合う厚さへと調節され、物をはっきりと見ることができる。
【０００８】  この毛様体筋１４は緊張すると水晶体１３は膨れ上がり、近くに焦点を合わせ、弛緩すると薄く伸び、遠くに焦点を合わせる性質がある。近視の原因は毛様体筋１４が緊張したまま凝り固まった状態であり、遠視の原因は毛様体筋１４の筋肉の衰えが原因と考えられる。
【０００９】  毛様体筋１４の緊張、弛緩運動は、［図９］〜［図１１］のように左目で見る視野Ｘと右目で見る視野Ｙの重複視野Ｚと単独視野Ｗにより影響される。視野Ｘから入る映像と視野Ｙから入る映像は視神経を通り、脳内で合成され一つの映像として認識される。
【００１０】  この際、重複された映像である重複視野Ｚは、単独視野Ｗに比べ、２倍の解像度になり、また単独視野Ｗは重複視野Ｚと比べ、視野範囲は広がり、この解像度と視野範囲は反比例する構造になる。
【００１１】  図９は遠くを見た視野の状態を示した図である。左目の視野Ｘ１６と右目の視野Ｙ１７の重複視野Ｚ１８で構成される。重複視野Ｚ１８の範囲が狭くなり、また外側を見る視野、単独視野Ｗ２２が広がる為、毛様体筋１４の弛緩が促される。
【００１２】  図１０は近くを見た視野の状態を示した図である。左目の視野Ｘ’１９と右目の視野Ｙ’２０の重複視野Ｚ’２１で構成される。重複視野Ｚ’２１は範囲が大きくなり、また外側を見る視野、単独視野Ｗ’２３は狭まる為、毛様体筋１４の緊張が促される。
【００１３】  図１１は遠くを見た視野の状態と近くを見た視野の状態の差を示した図である。遠くを見た際の重複視野Ｚ１８と近くを見た際の重複視野Ｚ’２１の重複視野の差２４、遠くを見た際の単独視野Ｗ２２と近くを見た際の単独視野Ｗ’２３の単独視野の差２５が反比例する構図になり、重複視野Ｚと単独視野Ｗが毛様体筋１４の緊張、弛緩運動と関係あると考えることができる。
【００１４】  したがって［０００４］の反り眼（開散運動）と寄り眼（輻輳運動）の反復運動を一定時間繰り返すことにより内直筋、上直筋、下直筋と外直筋、下斜筋、上斜筋が鍛えられ、正位の状態に近づく事により効果的な視力回復が期待できる。
【００１５】  近視者の場合は内直筋が強いので［図３］の平行法で見た状態と、［図５］の平行法と交差法の中間で見た状態の反復運動が良い。外直筋を鍛える訓練により、毛様体筋１４の緊張はほぐれやすくなり、近視の改善が期待できる。
【００１６】  遠視者の場合は内直筋が弱いので［図４］の交差法で見た状態と、［図５］の平行法と交差法の中間で見た状態の反復運動が良い。内直筋を鍛える訓練により、毛様体筋１４は緊張しやすくなり、遠視の改善が期待できる。
【発明を実地する為の最良の形態】
【実地例】
【００１７】  最初に目標となる建物を決める。目標となる遠くにある建物を決めたら、覗き窓７より覗き、スライドレバー５にてレンズプレート２を動かし、焦点の合う距離まで移動する。この状態で遠くの目標となる建物を見た状態にすると、［図３］のようにランドルト環（視標）４が中心点部に集まり、平行法で見た状態、すなわち反り眼（開散運動）で見た状態になる。そしてランドルト環（視標）４ｂ、４ｂ’を見ると、ランドルト環（視標）４の内側を見た状態になり、交差法で見た状態、すなわち寄り眼（輻輳運動）で見た状態になる。
【００１８】  平行法とは目を平行にして対象を見る（反り眼で見る）方法である
【００１９】  交差法とは目を交差させて対象を見る（寄り眼で見る）方法である。
【００２０】  この反り眼（開散運動）と寄り眼（輻輳運動）の反復運動を毎日３〜５分程度一定期間繰り返すことにより視力の改善が期待できる。
【００２１】  ［図６］の眼位測定プレートを使用することにより、物を見るときの眼位の癖を調べる事ができる。まず測定者は目標となる目印を決める。
【００２２】  測定者は裸眼にて眼位測定プレートを装着した視力トレーニング器１にて目標となる目印を覗く。この際、眼位測定目盛り９と眼位測定バー１０にて［図７］のように幅を測定する。
【００２３】  次に測定者は覗き窓７にピンホールレンズ１１を装着し、矯正状態で［００２２］と同じ目標となる目印を覗き、眼位測定目盛り９と眼位測定バー１０にて測定する。
【００２４】  そして裸眼状態［００２２］と、矯正状態［００２３］の計測幅の違いにより、測定者が、対象となる目印を見る時に、どのような眼位で見ているのかを調べることができる。
【００２５】  近視者の場合、遠くを見た際の裸眼状態［００２２］の眼位は、矯正状態［００２３］の眼位に比べ、内向き傾向になる。
【００２６】  遠視者の場合、近くを見た際の裸眼状態［００２２］の眼位は、矯正状態［００２３］の眼位に比べ、外向き傾向になる。
【００２７】  ピンホールレンズは黒いプレートに複数個の貫通した穴を設け、ピンホール効果により視力を矯正するものである。
【図面の簡単な説明】
【００２８】
【図１】  視力トレーニング器を表した平面断面図である。
【図２】  視力トレーニング器を表した正面断面図である。
【図３】  平行法で見た状態を示した図である。
【図４】  交差法で見た状態を示した図である。
【図５】  平行法と交差法の中間で見た状態を示した図である。
【図６】  眼位測定プレートの全体図である。
【図７】  眼位測定プレートを覗いて見た状態を示した図である。
【図８】  ピンホールレンズを表した正面図である。
【図９】  遠くを見た視野の状態を示した図である。
【図１０】  近くを見た視野の状態を示した図である。
【図１１】  遠くを見た視野の状態と近くを見た視野の状態の差を示した図である。
【符号の説明】
【００２９】１視力トレーニング器本体
２レンズプレート
３プレート固定用突起
４ランドルト環（視標）ａ〜ｄ
５スライドレバー
６スライドレール
７覗き窓
８仕切り
９眼位測定目盛り
１０眼位測定バー
１１ピンホールレンズ
１２角膜
１３水晶体
１４毛様体筋
１５網膜
１６視野Ｘ
１７視野Ｙ
１８重複視野Ｚ
１９視野Ｘ’
２０視野Ｙ’
２１重複視野Ｚ’
２２単独視野Ｗ
２３単独視野Ｗ’
２４重複視野の差
２５単独視野の差
【図１】
2011224310.tif 000003
【図２】
2011224310.tif 000004
【図３】
2011224310.tif 000005
【図４】
2011224310.tif 000006
【図５】
2011224310.tif 000007
【図６】
2011224310.tif 000008
【図７】
2011224310.tif 000009
【図８】
2011224310.tif 000010
【図９】
2011224310.tif 000011
【図１０】
2011224310.tif 000012
【図１１】
2011224310.tif 000013